(57)【特許請求の範囲】
【請求項１】
照明器具の本体を段ボールの平面部の上面に載置して保持すると共に外箱に収納するようにした照明器具用包装部材において、段ボールの平面部における四方の対角位置に上方へ折り曲げ自在に形成した立上片を設け、各立上片には、夫々の立上片の上端の内方を所定深さで下方へ２列の切込線で切り込んで段ボールの平面部の内方へ折り曲げ自在に形成した折曲部と、各立上片の折曲部の両側に設けられた垂直支持部とが一体的に形成され、各立上片の両側の垂直支持部の高さが外箱の内部の短尺幅と同様の寸法を有し、段ボールの平面部の四辺において対向する各側辺間の幅が外箱の内部の長尺幅と同様の寸法を有することによって該照明器具用包装部材を外箱内にガタツキのない状態で収納するようにし、折り曲げた折曲部を段ボールの平面部に載置した照明器具の本体の外周上部に当て、該折り曲げた折曲部と、照明器具の本体又は照明器具の本体を収納する包装材とを接合材で接合するようにしたことを特徴とする照明器具用包装部材。
【請求項２】
各立上片の折曲部は、段ボールの平面部に載置した照明器具の周辺上部を係止する高さで折り曲げられ、該折り曲げた折曲部を段ボールの平面部に載置した照明器具の本体の外周上部に当て、該折り曲げた折曲部と、照明器具の本体又は照明器具の本体を収納する包装材とを接合材で接合するようにしたことを特徴とする請求項１記載の照明器具用包装部材。
【発明の詳細な説明】
【技術分野】
【０００１】
本発明は、照明器具を段ボール製の包装部材に保持すると共に、外箱に収納する際に使用する照明器具用包装部材に関する。
【背景技術】
【０００２】
従来から、シーリングライト等の円盤状照明器具を包装する包装部材は、照明器具の本体を設置する保護パッドと、照明器具の本体を保護パッドに固定する固定部材とを別体に備え、照明器具を固定部材で保護パッドに固定した後、段ボール製の外箱に収納するようにしていた。
【０００３】
このような包装部材においては、上記のように、照明器具が外箱内で移動しないように、照明器具を保護パッドに固定する固定部材を別体に備え、また外箱を段積みした際に、外箱が潰れないように内部から支持する構造が必要であった。
【０００４】
しかしながら、従来の照明器具用包装部材は、照明器具を保護パッドに固定する構造と外箱の段積みを支持する構造とが独立したものとされているため、その分、作業工程が増加すると共に、材料コストが高騰するため、包装部材の販売コストを削減する際の妨げとなっていた。
【０００５】
このような事情に対処して、特許文献１には、照明器具の梱包用緩衝材が案出されている。この梱包用緩衝材は、１枚の段ボールを折曲げて形成することができる点では、その分、作業コストを低減することが可能である。
【０００６】
しかしながら、段ボールの四方の対角位置に折り曲げ可能に形成された端板と各端板の間に折曲げ可能に形成された隅板を立ち上げる構造を有し、端板と隅板とが別体であって、段ボールの外周に交互に形成された構成とされている。従って、材料コストの面では無駄があり、一層の改善が必要となるものであった。
【先行技術文献】
【特許文献】
【０００７】
【特許文献１】特開２００５−２９８０５７号公報
【発明の概要】
【発明が解決しようとする課題】
【０００８】
本発明は、上記の事情に鑑みてなされたものであり、照明器具を段ボール製の包装部材に保持すると共に、外箱に収納するようにした照明器具用包装部材に関し、照明器具を外箱内に固定する構造と外箱の段積みの際の荷重を支持する構造に無駄がなく、作業コスト及び材料コストの低減を達成することによって、包装部材の販売コストを安価にすることが可能な照明器具用包装部材を提供することを目的とする。
【課題を解決するための手段】
【０００９】
上記の問題を解決するために、本発明における請求項１の照明器具用包装部材は、照明器具の本体を段ボールの平面部の上面に載置して保持すると共に外箱に収納するようにした照明器具用包装部材において、段ボールの平面部における四方の対角位置に上方へ折り曲げ自在に形成した立上片を設け、各立上片には、夫々の立上片の上端の内方を所定深さで下方へ２列の切込線で切り込んで段ボールの平面部の内方へ折り曲げ自在に形成した折曲部と、各立上片の折曲部の両側に設けられた垂直支持部とが一体的に形成され、各立上片の両側の垂直支持部の高さが外箱の内部の短尺幅と同様の寸法を有し、段ボールの平面部の四辺において対向する各側辺間の幅が外箱の内部の長尺幅と同様の寸法を有することによって該照明器具用包装部材を外箱内にガタツキのない状態で収納するようにし、折り曲げた折曲部を段ボールの平面部に載置した照明器具の本体の外周上部に当て、該折り曲げた折曲部と、照明器具の本体又は照明器具の本体を収納する包装材とを接合材で接合するようにしたことを特徴とする。
【００１０】
また、本発明の請求項２の照明器具用包装部材は、請求項１において、各立上片の折曲部は、段ボールの平面部に載置した照明器具の周辺上部を係止する高さで折り曲げられ、該折り曲げた折曲部を段ボールの平面部に載置した照明器具の本体の外周上部に当て、該折り曲げた折曲部と、照明器具の本体又は照明器具の本体を収納する包装材とを接合材で接合するようにしたことを特徴とする。
【発明の効果】
【００１２】
本発明の照明器具用包装部材は、照明器具の本体を載置する段ボールの平面部における四方の対角位置に立上片を設け、各立上片の上端を所定幅で下方に切り込んだ折曲部を内方へ折り曲げることによって、包装部材の平面部の内部に設置した照明器具の外周上部を各折曲部で係止することが可能となる。
【００１３】
さらに、上記の構成において、各立上片の内方の折曲部を折り曲げると、必然的に、その両側に垂直支持部が垂直状態に立った状態で残るため、各立上片は折曲部とその両側の垂直支持部が一体的に形成された構造となる。
【００１４】
従って、本発明の照明器具用包装部材は、１枚の段ボールを用いて照明器具用包装部材を無駄なく形成すると共に、この包装部材に照明器具を取り付けて外箱に収納したとき、各立上片の折曲部を内方へ折り曲げ、この折曲部と照明器具の本体又は照明器具の本体を収納する包装材に、接着テープ等の接合材を貼り付けて接合することにより、照明器具の本体を包装部材に固定することが可能となる。
【００１５】
さらに、本発明の照明器具用包装部材を外箱に収納したとき、該包装部材は、各立上片の両側の垂直支持部の高さが外箱の内部の短尺幅と同様の寸法を有し、段ボールの平面部の四辺において対向する各側辺間の幅が外箱の内部の長尺幅と同様の寸法を有するため、照明器具用包装部材を外箱内にガタツキのない状態で収納することが可能となる。
【００１６】
さらに、本発明の包装部材に円盤形状の照明器具を平面部に載置して外箱内に収納する際、この照明器具の外周が各立上片の内側に接触する状態で固定すると、照明器具の外周と平面部の各側辺との間に隙間が生じることとなる。
【００１７】
従って、上記のように照明器具を包装部材に固定した状態で、段ボールの平面部の各側辺を外箱の各側面の内側に接するように収納すると、照明器具の外周と包装部材の各側辺との間に生じた隙間が外箱の側面に対する緩衝スペースとして機能する。このため、外箱の側面に外方から何らかの衝撃が加わった場合でも、上記の緩衝スペースが作用して、外箱内の照明器具に直接衝撃が加わることなく保護されるととなる。
【００１８】
また、上記のように外箱内に、包装部材に固定した照明器具を収納して、この外箱を段積みしたとき、各外箱内では夫々の立上片の両側の垂直支持部が外箱の内部を短尺幅方向に支持することによって外箱の段積みによる積載荷重に対抗することができ、外箱の潰れや変形、又は外箱内の照明器具の損傷等を万全に防止することが可能となる。
【図面の簡単な説明】
【００１９】
【図１】本発明の実施例における照明器具用包装部材の展開状態を示す平面図である。
【図２】本発明の実施例における照明器具用包装部材を収納する外箱の展開形状である。
【図３】本発明の実施例における照明器具用包装部材の平面部の上面に照明器具を載置すると共に、各立上片を立ち上げた状態を示す斜視図である。
【図４】本発明の実施例における照明器具用包装部材の平面部の上面に照明器具を載置し、折り曲げた各折曲部を接合材で照明器具に接合した状態を示す斜視図である。
【図５】本発明の実施例における照明器具用包装部材に照明器具を保持すると共に、２点鎖線で示す外箱内に収納した状態を示す斜視図である。
【図６】本発明の実施例における照明器具用包装部材に照明器具を保持すると共に、外箱内に収納した状態を示す斜視図である。
【発明を実施するための形態】
【００２０】
以下、本発明の実施例について図面を参照しながら説明する。
【実施例】
【００２１】
本発明による照明器具用包装部材（以下、単に「包装部材１」という）は、図５及び図６に示すように、照明器具Ｒの本体を段ボールの平面部２の上面に載置して保持すると共に、外箱１０に収納する構造を有する。なお、図１において、円形内の縞模様１ａは、包装部材１の段ボールの内部を露呈した状況を示すものである。
【００２２】
本実施例の包装部材１の展開形状は、図１に示すように、矩形状に形成された段ボール製の平面部２における四方の対角位置に上方へ折り曲げ自在に立上片３を形成している。
【００２３】
各立上片３は、矩形状の平面部２の四方の側辺５、５・・・から対角線方向に突出した両側辺４ａ、４ｂを有し、各立上片３における両側辺４ａ、４ｂと包装部材１の各側辺５、５・・・とのなす両側の隅部４、４を結ぶ位置に、図１の点線で示す折曲線６が形成されている。また、平面部２の対角位置の四方の対角方向の外端部には各折曲線６に沿って平行に形成された上端辺７が設けられている。なお、立上片３の両端の角部には角取り部３ａ、３ｂが形成されている。
【００２４】
このような構成により、図３に示すように、包装部材１の平面部２の各角部において、各立上片３は折曲線６で上方へ折り曲げて略垂直に立ち上げることができ、夫々の立上片３の上端辺７は各折曲線６に対して平行に形成された状態で、各立上片３の最上端を形成することとなる。
【００２５】
さらに、各立上片３には、図３に示すように、夫々の立上片３の上端の内方を所定深さで下方へ切込線７ａ、７ｂで切り込んで段ボールの平面部２の内方へ折り曲げ自在に形成した折曲部８が形成されている。このような構成により、各折曲部８が折曲位置８ａで内方へ折り曲げることによって、各立上片３の折曲部８の両側に垂直支持部９ａ、９ｂが形成されることになる。
【００２６】
このような構成においては、各立上片３において、折曲部８とその両側の垂直支持部９ａ、９ｂは両側の切込線７ａ、７ｂで仕切られた状態で一体的に形成され、これらの切込線７ａ、７ｂ間の折曲位置８ａを境にして段ボールの平面部２の内方へ折り曲げられる。これによって、図４に示すように、折り曲げた折曲部８を段ボールの平面部２に載置した照明器具Ｒの本体の外周上部に当てることが可能となる。
【００２７】
なお、各立上片３に形成される切込線７ａ、７ｂの切り込みの深さは、照明器具Ｒの高さによって折曲位置８ａをどのような高さとするかにより設定されるべきものである。
【００２８】
また、上記のように本実施例の包装部材１の平面部２に照明器具Ｒを載置する場合、照明器具Ｒは通常、合成樹脂製袋体等による包装材（不図示）に収納された状態となる。従って、図４に示すように、上記のように各立上片３の折曲部８と照明器具Ｒとを接着テープ等の接合材２０で接合する際に、接合材２０は照明器具Ｒの包装材と折曲部８とを接合することになる。
【００２９】
なお、上記の包装部材１の２つの側辺５、５の近傍には持ち手穴１８が形成され、図６に示すように、外箱１０内に収納された包装部材１を外方へ取り出す際に、この持ち手穴１８に手指をかけて引き出すことが可能となる。
【００３０】
一方、図２に示す平面図は、包装部材１を収納する外箱１０の平面図であり、１枚の段ボールによって矩形の上面１１ａと下面１１ｂとの間及びその延長部に側板１３及び糊代片１６を形成すると共に、上面１１ａと下面１１ｂとの両端には蓋片１４が形成され、各側板１３の両端には折込片１５が形成されている。
【００３１】
なお、このような構成において、上面１１ａと下面１１ｂと側板１３との間、及び側板１３と蓋片１４、或は折込片１５との間には折曲線１２が形成され、また各蓋片１４と折込片１５との間は切離線１７によって切り離された形状に形成されている。
【００３２】
上記の構成の外箱１０の展開形状を組み立てることによって、図５又は図６に示すような高さの低い矩形立方体の箱形状であって、一つの側面を蓋片１４、１４で開閉自在にした箱形状が形成される。
【００３３】
このような外箱１０の箱形状において、組み立て後の包装部材１を外箱１０に収納したとき、包装部材１の各立上片３における両側の垂直支持部９ａ、９ｂの高さが外箱１０の内部の短尺幅と同様の寸法を有し、且つ各立上片３が外箱１０の内側に接触する寸法とすることによって該包装部材１を外箱１０内にガタツキのない状態で収納することが可能となる。
【００３４】
なお、上記した包装部材１の各立上片３における両側の垂直支持部９ａ、９ｂの高さとは、各折曲線６と各立上片３の最上端を形成する上端辺７との幅をいうものであり、この幅が外箱１０の短尺幅に接触状態で収まることとなる。
【００３５】
また、上記の各立上片３が外箱１０の内側に接触する寸法とは、図５に示すように、包装部材１の平面部２を介して互いに平行状態で対向する立上片３、３の幅が外箱１０の長尺幅と略同様に形成されることをいうものである。このような構成により、外箱１０内に包装部材１を収納すると、互いに対向する立上片３、３の外側面が両側の側板１３、１３の内側に接触することによって、包装部材１が外箱１０内でガタツキのない収納状態にされるものである。
【００３６】
さらに、上記の本実施例の包装部材１において、図１に示すように、平面部２の夫々の対角位置に形成された折曲線６、６は互いに平行に対向する。このような包装部材１の平面部２に、図１の２点鎖線で示すように円盤形状の照明器具Ｒを載置して後述する外箱１０内に収納する際、この照明器具Ｒの外周を各立上片３の内側に接触する状態で固定すると、照明器具Ｒの外周と平面部２の各側辺５、５・・・との間に、図１において２点鎖線で示す隙間１９が生じることとなる。
【００３７】
従って、上記のように照明器具Ｒを包装部材１に固定した状態で、図５に示すように、包装部材１の平面部２の各側辺５が外箱１０の各側面１３の内側に接するように収納すると、照明器具Ｒの外周と包装部材１の各側辺５との間に生じた隙間１９が外箱１０の側面１３内における緩衝スペースとして機能することとなる。このため、外箱１０の側面１３に外方から何らかの衝撃が加わった場合でも、上記の緩衝スペース（隙間１９）が作用して、外箱１０内の照明器具Ｒに、直接衝撃が加わることなく保護することが可能となる。
【００３８】
さらに、図５又は図６に示すように、包装部材１０に照明器具Ｒを固定した状態で外箱１０内に収納したとき、各立上片３の外側の近傍域には外箱１０のコーナーに空間２１を形成するため、立上片３の内側に接触する照明器具Ｒが、外箱１０の各コーナーごとに空間２１で保護される。従って、外箱１０に外方から衝撃が加わったときでも、各空間２１で緩衝されるため、立上片３に直接衝撃が加わることがなく、その内部に固定された照明器具Ｒもまた保護されることとなる。
【００３９】
上記の包装部材１を用いて、照明器具Ｒを外箱１０内に保管するには、包装部材１の平面部２に照明器具Ｒを載置した後、各立上片３の折曲部８を折り曲げることによって照明器具Ｒの本体の外周上部に当て、折り曲げた折曲部８と、照明器具Ｒの本体又は照明器具Ｒの本体を収納する包装材とを接合材２０で接合する。
【００４０】
上記の構成において、照明器具用包装部材１を外箱１０に収納したとき、各立上片３の両側の垂直支持部９ａ、９ｂの高さが外箱１０の内部の短尺幅と同様の寸法を有し、段ボールの平面部２の四辺において対向する各側辺５，５間の幅が外箱１０の内部の長尺幅と同様の寸法を有するため、包装部材１を外箱１０内にガタツキのない状態で収納することが可能となる。
【００４１】
さらに、本実施例の包装部材１に上記のように照明器具Ｒを固定して外箱１０内に収納した状態で、この外箱１０を段積みしたとき、各外箱１０内では夫々の立上片３の両側の垂直支持部９ａ、９ｂが外箱１０の内部を短尺幅方向である上下方向に支持することによって外箱１０の段積みによる積載荷重に対抗することができ、外箱１０の変形や外箱１０内の照明器具Ｒの損傷等を万全に防止することが可能となる。
【産業上の利用可能性】
【００４２】
本発明の照明器具用包装部材は、照明器具を段ボール製の包装部材に保持すると共に、外箱に収納するようにした照明器具用包装部材に関し、照明器具を外箱内に固定する構造と外箱の段積みの際の荷重を支持する構造に無駄がなく、作業コスト及び材料コストの低減を達成することによって、包装部材の販売コストを安価にすることが可能な照明器具用包装部材として利用可能である。
【符号の説明】
【００４３】
Ｒ  照明器具
１  包装部材
２  平面部
３  立上片
３ａ、３ｂ  角取り部
４  隅部
４ａ、４ｂ  両側辺
５  側辺
６  折曲線
７  上端辺
７ａ、７ｂ  切込線
８  折曲部
８ａ  折曲位置
９ａ、９ｂ  垂直支持部
１０  外箱
１１ａ  上面
１１ｂ  下面
１２  折曲線
１３  側板
１４  蓋片
１５  折込片
１６  糊代片
１７  切離線
１８  持ち手穴
１９  緩衝スペース（隙間）
２０  接合材
２１  空間
【図１】
0005757447.tif 000002
【図２】
0005757447.tif 000003
【図３】
0005757447.tif 000004
【図４】
0005757447.tif 000005
【図５】
0005757447.tif 000006
【図６】
0005757447.tif 000007